(57)【要約】【課題】豆の収穫において、根本切断刃が畝の頂面から所望の深さを進行して茎葉を土中で切断すると共に、根本切断刃の消耗や回転軸の損耗を防止することを目的とする。【解決手段】前進しながら豆の茎の根元を順次切断して刈り取る豆刈り装置において、円板の外周に鋸状の刃を有する根元切断刃（４２）を、水平方向に対して円板の進行方向前側を低く後側を高く傾斜して回転軸（４１）に連結し、この根元切断刃（４２）の上面には回転中心より径方向に伸びる突出体（４３、６４）を設けた。【選択図】図２
2008148583.tif 000002
【特許請求の範囲】
【請求項１】
前進しながら豆の茎の根元を順次切断して刈り取る豆刈り装置において、
円板の外周に鋸状の刃を有する根元切断刃を、水平方向に対して円板の進行方向前側を低く後側を高く傾斜して回転軸に連結し、この根元切断刃の上面には回転中心より径方向に伸びる突出体を設けてなる刈取り刃体。
【請求項２】
前記突出体は、回転中心より径方向に放射状に伸びる突条により構成したことを特徴とする請求項１記載の刈取り刃体。
【請求項３】
前記根本切断刃を回転軸に固定する押え座金を非円形状に形成し、前記突出体を、該押え座金の凸角部により構成したことを特徴とする請求項１記載の刈取り刃体。
【請求項４】
前記回転軸を根本切断刃の下面側に配置したことを特徴とする請求項１記載の刈取り刃体。
【発明の詳細な説明】
【技術分野】
【０００１】
本発明は、豆の茎葉を刈り取って収穫するための豆刈り装置に関し、詳細には、豆の茎葉を切断するための刈取り刃体に関する。
【背景技術】
【０００２】
枝豆などの豆の収穫の際には、まず圃場に植生する茎葉を豆ごと引き抜き、茎葉を集約して作業所に運搬した後、茎葉の根本をもって脱莢器などにより茎葉から豆莢を脱莢することが一般的に行われている。
【０００３】
豆の茎葉の引き抜き作業は重労働であるため専用の刈取り機を用いて行われているが、このような豆用の刈取り機として特許文献１がある。
豆の茎葉には根本付近にまで豆莢が付いていることから、特許文献１に記載の刈取り機は、切断刃の前部が土中を進行するように形成して、茎葉を土中で切断してすべての豆莢を収穫すべく構成されている。従来、この切断刃は畝の頂面から深さ１ｃｍ乃至３ｃｍ程度の浅い位置を進行するように形成されていた。
【０００４】
刈り取った茎葉は、その根本を持って脱莢器により梳いて脱莢を行っているが、このとき、従来のように畝の頂面から浅い位置で茎葉を切断した場合、茎葉の根本が短く脱莢作業がやりにくいという問題があった。
【０００５】
しかし、茎葉の根本を充分に長く確保するために刈刃が畝の頂面から深い位置を進行するように形成すると刈刃で大量の土を押しのけることになるため、刈刃や回転軸に大きな負荷がかかることとなり、刈刃が消耗しやすくなったり、回転軸が疲労して折損したりするおそれがあった。  また、切断刃が土中を進行すると、その上面に畝土が付着するだけでなく草や根が絡まることがあり、作業性を損なっていた。
【特許文献１】特開２００２−２５３０２９号公報
【発明の開示】
【発明が解決しようとする課題】
【０００６】
豆の収穫において、根本切断刃が畝の頂面から所望の深さを進行して豆の茎葉を土中で切断すると共に、根本切断刃の消耗や回転軸の損耗を防止することを目的とする。
【課題を解決するための手段】
【０００７】
上記課題を解決するために、請求項１記載の発明では、前進しながら豆の茎の根元を順次切断して刈り取る豆刈り装置において、円板の外周に鋸状の刃を有する根元切断刃を、水平方向に対して円板の進行方向前側を低く後側を高く傾斜して回転軸に連結し、この根元切断刃の上面には回転中心より径方向に伸びる突出体を設けてなる刈取り刃体を提供する。
請求項２記載の発明は、前記突出体は、回転中心より径方向に放射状に伸びる突条により構成したことを特徴とする。
請求項３記載の発明は、前記根本切断刃を回転軸に固定する押え座金を非円形状に形成し、前記突出体を、該押え座金の凸角部により構成したことを特徴とする。
請求項４記載の発明は、前記回転軸を根本切断刃の下面側に配置したことを特徴とする。
【発明の効果】
【０００８】
請求項１記載の発明によれば、進行方向前側を低く後側を高く傾斜した円盤状の根本切断刃の上面に、回転中心より径方向に伸びる突出体を設けたことにより、この突出体が、根本切断刃の上面に載った畝土を回転に伴って側方に跳ね飛ばすため、根本切断刃が畝中深くを進行して豆の茎葉を深い位置で切断して、必要な長さの根本を確保可能なうえに、畝土による根本切断刃への負荷が少なく済み、後の作業の効率性を確保しつつ根本切断刃の消耗を抑えることができる。さらに、根本切断刃の上面に畝土が付着することがなく草などの巻付きを防止することができる。
請求項２記載の発明によれば、回転中心より径方向に放射状に伸びる突条を突出体としたことにより、十分な高さの突条により確実に畝土を側方へ跳ね飛ばし、根本切断刃が畝の十分深い位置を進行して豆の茎葉を深い位置で切断し、根本を長く確保できると共に、畝土による根本切断刃への負荷が少なく済み、後の作業の効率性を確保しつつ根本切断刃の消耗を抑えることができる。
請求項３記載の発明によれば、根本切断刃を回転軸に固定する押え座金を非円形状に形成し、該押え座金の凸角部を突出体としたことにより、簡易な構成で突出体を形成して、後の作業の効率性を確保しつつ根本切断刃の消耗を抑えることができる、という目的を達成可能である。
請求項４記載の発明によれば、根本切断刃の下面側に回転軸を配置したことにより、根本切断刃の上面に形成される突出体の設計自由度の向上を図れると共に、回転軸を短く形成して軸にかかる曲げモーメントを小さくし、回転軸の消耗を抑えることができるうえに、回転軸への草等の絡み付きを抑制することができる。
【発明を実施するための最良の形態】
【０００９】
以下、本発明に係る豆刈り装置について、図１乃至図５を参照して説明する。
まず、図１及び図２を参照して、本発明に係る豆刈り装置の全体構成について説明する。図１は、本発明に係る豆刈り装置の全体斜視図である。図２は、本発明に係る豆刈り装置の側面図であり、エンジン１１と操作盤１２の図示を省略している。
【００１０】
豆刈り装置は、左右一対のクローラ１０、１０を有する機体１の右側部にエンジン１１を設け、左側部に操作盤１２と乗用台１３とを設け、機体の後部に茎葉集積台１４を設け、さらに、機体１の正面に刈取り搬送装置２を搭載して形成されている。クローラ１０、１０及び刈取り搬送装置２はエンジン１０によって駆動される。
【００１１】
クローラ１０、１０はそれぞれ畝間を進行可能な幅に形成し、一条の畝を跨ぐ距離をおいて左右に配置すると共に脚高の三角クローラに形成して機体１の車高を高くし、豆刈り装置が畝を跨いで走行可能に構成する。
【００１２】
操作盤１２は機体の右側部のクローラ１０の後部上方に設ける。この操作盤１２は、畝間に立つ作業者の胸位置乃至目線位置程度の高さ、すなわち百数十ｃｍ程度の高さ位置に設置する。例えば、１４０ｃｍ乃至１６０ｃｍ程度の高さ位置に設ける。また、この操作盤１２の後下方でかつクローラ１０の後方に作業者が搭乗する乗用台１３を設ける。乗用台１３は、数十ｃｍ程度、例えば２０ｃｍ乃至４０ｃｍ程度の高さ位置に設置する。
【００１３】
作業者は、乗用台１３に搭乗して操作盤１２により豆刈り装置を操作することもできるし、または進行する豆刈り装置に併歩しながらでも操作盤１２を操作することができるため、作業における汎用性が高く、各作業者の実情に合った作業態様を実現できる。
【００１４】
刈取り搬送装置２は、刈り取った茎葉を機体後部の茎葉集積台１４に搬送する搬送部３と、畝に植生する豆の茎葉の根本を切断して刈り取る切断刃を備えた刈取り部４と、搬送部３及び刈取り部４の作業位置を制御する刈高さ制御部５とにより構成する。この刈取り搬送装置２を、進行方向前側を低く後側を高く傾斜して機体１の正面に搭載し、刈取り搬送装置２の後端下方に茎葉集積台１４を配置する。
【００１５】
搬送部３は、左右一対の回動チェーンに搬送爪３４を取り付けてなる搬送機を上側と下側の上下二段に並べて構成する。搬送爪３４は、上側の搬送機３０では間隔を広くし、下側の搬送機３１では間隔を狭くして、回動チェーンに取り付けられている。
【００１６】
上側と下側の搬送機３０、３１は進行方向前側を低く後側を高く傾斜した状態で上下に並べて平行に配置する。上側の搬送機３０を下側の搬送機３１よりも長尺に形成して前方に突出し、両搬送機３０、３１の前端部が共に畝の頂面の直上を進行するように構成している。
【００１７】
搬送機３０、３１には、機体１の左右方向に設けた水平駆動軸１５及び水平駆動軸１５と直交する駆動軸１６を介してエンジン１１の動力を伝達する。このとき、上側の搬送機の回動チェーンの回動速度が、下側の搬送機の回動速度よりも速くなるように構成する。この搬送部３は、図示しない油圧ポンプにより前端部の下限を規定すると共に水平駆動軸１５を中心に揺動自在に構成する。
【００１８】
また、上側の搬送機３０の前部には分草杆３２を取り付ける。上側と下側の両搬送機３０、３１の後部にはそれぞれ、搬送された茎葉が一定の方向を向いた状態で茎葉集積台１４に放出されるように案内する案内杆３３、３３を取り付ける。
【００１９】
刈取り部４は、機体１から畝の頂面の直上まで進行方向前側に向かって斜め下方に伸びた伝動軸４０と、伝動軸４０の先端部から下向きに延出した回転軸４１と、この回転軸４１に取り付けた根本切断刃４２とにより構成される。
【００２０】
伝動軸４０は後端を水平駆動軸１５に接続し、この水平駆動軸１５からエンジンの動力を先端の回転軸４１に伝達すると共に水平駆動軸１５を中心として揺動可能に構成する。また、伝動軸４０の途中部には、刈高さ制御部５と連結するための連結板４５が設けられている。
【００２１】
回転軸４１は、伝動軸４０の先端から、伝動軸４０に対して直角に下向きに延出する。この回転軸４１の下端に根本切断刃４２を取り付ける。根本切断刃４２は進行方向前側を低く後側を高く傾斜して回転軸４１に取り付けられる。
【００２２】
刈高さ制御部５は、畝間を転動するゲージホイル５０と、このゲージホイル５０に対する刈取り部４の高さ位置を調節するための扇形状の調節板５１とにより構成される。調節板５１は、連結板４５と連結するための多数の通孔５２を有している。この通孔５２を選択して、刈取り部４の刈高さを調節する。
【００２３】
次に、図３を参照して本発明に係る刈取り刃体について説明する。図３は、刈取り刃体の拡大図である。
【００２４】
根本切断刃４２は円板状で外周に鋸状の刃が形成されている。この根本切断刃４２の上面に、突出体として、根本切断刃４２の回転中心部から径方向に放射状に伸びる突条４３を設けて刈取り刃体を形成する。
図例において突出体は、根本切断刃４２の上面に、三本の突条４３、４３、４３を等間隔に設けて形成している。
【００２５】
突条４３は、回転軸４１に衝突しない高さ（例えば１ｃｍ乃至３ｃｍ）に形成する。一方、低すぎると充分に畝土を跳ね飛ばせないため、突条４３の高さは少なくとも０．５ｃｍ以上の高さに形成する。好ましくは１ｃｍ乃至２ｃｍ程度に形成するとよい。
【００２６】
また、突条４３は、短すぎると充分な量の畝土を跳ね飛ばせず、一方、長すぎると突条４３の最前端部が根本切断刃４２の鋸刃状外周よりも突出して豆の茎葉に衝突するおそれがあるため、根本切断刃４２の半径の０．３倍乃至０．８倍程度の長さに形成するとよい。さらに好ましくは、０．４倍乃至０．７倍に形成するとよい。
【００２７】
また、図例では、三本の突条４３を放射状に形成しているが、一本や二本、又は四本以上の突条を根本切断刃４２の上面に放射状に設けてもよい。
【００２８】
次に、この豆刈り装置の作業態様について説明する。
最初に、刈高さ制御部５によって切断作業高さを調整する。まず、通孔５２を選択して調節板５１と連結板４５との連結位置を調節し、根本切断刃４２の作業高さの下端位置を規定する。そして、油圧ポンプにより搬送部３の傾斜を変えて、搬送部３の前端部が畝頂面の直上にくるように調整する。
【００２９】
作業高さは、根本切断刃４２の前側の端部が畝の頂面から数ｃｍ乃至２０ｃｍ程度の深さを進行するように調整する。この作業高さは、豆の茎葉の根本に寄せた畝土の畝高さに応じて上記範囲を超えて適宜決めることもできる。
【００３０】
作業高さを調整した後、畝を跨ぐ豆刈り装置を前進させる。豆刈り装置が跨ぐ畝の茎葉は分草杆３２により搬送機３０、３１に引き寄せられ、畝の頂面よりも深い位置を進行する根本切断刃４２により茎葉が順次切断されていく。切断された茎葉は搬送機３０、３１により機体１の後部に搬送される。
【００３１】
搬送機３０、３１は、上側の搬送機３０が下側の搬送機３１よりも搬送速度が速くなっており、茎葉は下部の根側よりも上部の葉側が後方に引き倒されるように機体１の後部に搬送される。搬送機３０、３１からは、後部の案内杆３３により茎葉が一定の向きで茎葉集積台１４に放出され、茎葉は根本側と葉側の向きが揃えられた状態で集積される。
【００３２】
上記のごとく構成した豆刈り装置は、以下に述べる効果を奏する。
根本切断刃４２の上面に突条４３を放射状に形成したことにより、この突条４３によって畝土を側方へ跳ね飛ばすことができ、根本切断刃４２が畝の頂面から深い位置を進行しても畝土が根本切断刃４２の上面にのらず、根本切断刃４２や回転軸４１にかかる負荷を軽減することができるため、根本切断刃４２の消耗や回転軸４１の疲労を抑えることができると共に、刈り取る茎葉の根本を長く確保することができるため豆莢の脱莢作業の作業効率を向上させることができる。
【００３３】
また、根本切断刃４２が伝動軸４０の下側に付いていることにより、根本切断刃４２の前側部を畝の頂面から充分に深い位置に配置しても、根本切断刃４２の水平方向からの傾斜角度を小さくでき、根本切断刃６２が畝土から受ける抵抗力の刃面に垂直な成分を小さくして回転軸６１にかかる曲げモーメントを減少させることができ、回転軸６１の負担を軽減することができる。
【００３４】
また、伝動軸４０が根本切断刃の上側にあることにより、伝動軸４０や回転軸４１の維持管理作業を行いやすい。
【００３５】
次に、刈取り刃体の第２の実施形態について図４及び図５を参照して説明する。図４は、刈取り刃体の第２の実施形態を示す側面図であり、図５は刈取り部６の要部拡大斜視図である。
【００３６】
本実施形態の刈取り刃体は、水平駆動軸１５に接続された伝動軸６０の先端部から上向きに回転軸６１を延出し、この回転軸６１の先端部に押え座金６３を介して根本切断刃６２を取り付けて形成する。押え座金６３は、図５に示すように方形に形成する。この押え座金６３の四隅が、それぞれ凸角部６４として突出体となる。
【００３７】
図例では、押え座金６３は方形に形成したが、三角形状や５角以上の多角形状など非円形状であればよい。また、押え座金６３を円形状として、その周囲に突条を形成する構成とすることもできる。
【００３８】
本実施形態のごとく構成することにより、伝動軸４０が根本切断刃６２の下側にくるため、回転軸６１を短く形成しても突出体が伝動軸４０と衝突することがないため設計の自由度が向上し、効果的に畝土を側方へ跳ね飛ばすことができると共に、茎葉の根本を畝の頂面から深い位置で切断して充分な長さを確保し、豆莢の脱莢作業の作業効率を向上させることができる。
【００３９】
さらに、回転軸６１を短く形成できるため、畝の頂面から深い位置を進行する根本切断刃６２が畝土から受ける抵抗力により回転軸６１にかかる曲げモーメントを大幅に減少させることができ、回転軸６１の負担を軽減することができる。
【図面の簡単な説明】
【００４０】
【図１】本発明に係る豆刈り装置の全体斜視図である。
【図２】豆刈り装置の刈取り搬送装置の側面図である。
【図３】刈取り搬送装置の刈取り部の要部拡大斜視図である。
【図４】刈取り部の別の実施形態を示す側面図である。
【図５】刈取り部の別の実施形態を示す要部拡大斜視図である。
【符号の説明】
【００４１】
１    機体
２    刈取り搬送装置
３    搬送部
４    刈取り部
４０  伝動軸
４１  回転軸
４２  根本切断刃
４３  突条
４４  連結板
５    刈高さ制御部
６    刈取り部
６０  伝動軸
６１  回転軸
６２  根本切断刃
６３  突条
６４  凸角部
【図１】
2008148583.tif 000003
【図２】
2008148583.tif 000004
【図３】
2008148583.tif 000005
【図４】
2008148583.tif 000006
【図５】
2008148583.tif 000007